(57)【要約】本発明は通信デバイスと通信ネットワークに関するものである。通信ネットワークは全般に、少なくともダイレクトセル接続機構と通信ネットワークへのアップリンク接続のための通信デバイスのための少なくとも代替のセル接続機構を提供する。本方法は、通信ネットワークによって決定し、ダイレクトセル接続機構が所与の時間で提供されるかどうかを通信デバイスに示すことを備える。本ケースでは、通信デバイスが通話チャンネル上にユーザーデータを直接的に送信する。ダイレクトセル接続が提供されない場合は、代替のセル接続機構が使用されるべきことを通信デバイスに対して指示する。
2006511132.tif 000002
【特許請求の範囲】
【請求項１】
通信デバイスと通信ネットワークの間の方法であって、該通信ネットワークは、ダイレクト・セル接続機構、および、該通信ネットワークへのアップリンク接続のための該通信デバイスのための代替のセル接続機構を少なくとも全般に提供する方法において、該方法は、
前記通信ネットワークによって決定し、かつ、
前記ダイレクト・セル接続機構を所与の時間に提供できるかどうかを、前記通信デバイスに指示することを備える方法。
【請求項２】
請求項１に記載の方法において、前記ダイレクト・セル接続を提供できない状況における前記方法は、
前記代替のセル接続機構を使用すべきことを前記通信デバイスに指示することを備える方法。
【請求項３】
請求項２に記載の方法において、前記代替セル接続機構は、アップリンク接続のための別個の接続チャンネルを用いることを備える方法。
【請求項４】
請求項１〜３のいずれか１項に記載の方法において、前記ダイレクト・セル接続機構が提供されるかどうかを指示することは、前記通信デバイスが通話チャンネル上にユーザーデータを直接的に送り始められるかどうかを指示することを備える方法。
【請求項５】
請求項４に記載の方法において、前記モバイル通信デバイス（１１０）および前記基地局（１２０）の間の無線インタフェースは、プロトコルスタックを形成するプロトコル層の中に積み重ねられ、および、前記通話チャンネルは、該プロトコルスタックのデータリンク層（レイヤ２）の上で動作する論理通話チャンネル部分を形成する方法。
【請求項６】
請求項５に記載の方法において、前記通信デバイスが通話チャンネル上を直接的に送り始められるどうかを指示することは、前記プロトコルスタックのネットワーク層（レイヤ３）で実行される方法。
【請求項７】
請求項１に記載の方法において、前記ダイレクト・セル接続機構を提供できるかどうかを指示することは、請求項１の前記通信デバイスを含む通信デバイスのセットに、ブロードキャスト・メッセージを送ることによって実行される方法。
【請求項８】
請求項７に記載の方法において、前記ブロードキャスト・メッセージは、前記通信デバイスのセットをさらに制限するパラメータ値を含む方法。
【請求項９】
請求項１に記載の方法において、前記ダイレクト・セル接続機構を提供できるかどうかを指示することは、請求項１の前記通信デバイスを含む通信デバイスの制限されたセットに、マルチキャスト・メッセージを送ることによって実行される方法。
【請求項１０】
請求項１に記載の方法において、前記ダイレクト・セル接続機構を提供できるかどうかを指示することは、前記通信デバイスへのポイントツーポイント・メッセージを送ることによって実行される方法。
【請求項１１】
請求項７〜１０のいずれか１項に記載の方法において、前記メッセージは、前記ダイレクト・セル接続機構が可能にされるかどうかを指示するパラメータ値を、前記通信デバイスに搬送する方法。
【請求項１２】
請求項１〜１１のいずれか１項に記載の方法において、前記通信ネットワークは、モバイル通信システムのセルを務める基地局を備え、および、前記方法は、
前記基地局による通話量、および／または、無線測定を実行し、かつ、
前記ダイレクト・セル接続機構を所与の時間に前記測定に基づいて提供できるかどうかを前記基地局によって決定することを備える方法。
【請求項１３】
通信ネットワークとの操作のために構成された通信デバイス（１１０）であって、該通信ネットワークは、ダイレクト・セル接続機構、および、該通信ネットワークへのアップリンク接続のための該通信デバイス（１１０）のための代替のセル接続機構を少なくとも全般に提供する通信デバイスにおいて、該通信デバイス（１１０）は、
前記通信ネットワークによって送られる、前記セル接続機構を所与の時間に提供できるかどうかを前記通信デバイス（１１０）へ指示する指示を受信する手段（ＲＦ、ＭＣＵ、５１５、ＳＷ）を備える通信デバイス。
【請求項１４】
請求項１３に記載の通信デバイスにおいて、該通信デバイスは、セルラー通信ネットワークのモバイル・ハンドヘルド・デバイスである通信デバイス。
【請求項１５】
通信ネットワークの基地局（１２０）であって、該通信ネットワークは、ダイレクト・セル接続機構、および、該通信ネットワークへのアップリンク接続のための通信デバイス（１１０）のための代替のセル接続機構を少なくとも全般に提供する基地局において、該基地局（１２０）は、
前記ダイレクト・セル接続機構を所与の時間に提供できるかどうかを決定し、
前記通信デバイス（１１０）に指示する手段（４２０、４２５、４４０）を備える基地局。
【請求項１６】
通信デバイス（１１０）および通信ネットワークを備えるシステムであって、該通信ネットワークは、ダイレクト・セル接続機構、および、該通信ネットワークへのアップリンク接続のための代替のセル接続機構を少なくとも全般に提供するシステムにおいて、該通信ネットワークは、
前記ダイレクト・セル接続機構を所与の時間に提供できるかどうかを決定し、
前記通信デバイス（１１０）に指示する手段（４２０、４２５、４４０）を備え、かつ、該通信デバイス（１１０）は、
前記指示を受信する手段（ＲＦ、ＭＣＵ、５１５、ＳＷ）を備える通信デバイスであるシステム。
【発明の詳細な説明】
【技術分野】
【０００１】
本発明は、通信システムにおけるアップリンク接続に関する。
【背景技術】
【０００２】
セルラー・モバイル通信システムの性能における１つの問題は、サービス接続時間、即ち、ユーザがサービスを要求した後に、そのサービスが届けられるまでにかかる時間である。そのサービス接続時間の長さに対する重要な貢献は、使用されるセル接続機構である。
【発明の開示】
【発明が解決しようとする課題】
【０００３】
図１は、第２世代携帯電話通信で広く使用されるセル接続機構の基本原理である。ターミナル１１０が送るべきユーザーデータを有する場合、ユーザーデータを伝送する前に、ランダム・アクセス・チャンネル（ＲＡＣＨ：Random Access CHannel）上の接続要求メッセージ１１１をネットワークに伝送し、そして、ユーザーデータが伝送される前に、そのネットワークからの応答を待つ。例えば、ＧＳＭ  ＧＰＲＳ（General Packet Radio Service）においては、接続要求メッセージは、基地局１２０経由で、無線リソース割り当てを実行するユニットを含む基地局制御器へ運ばれる。結果として、ユーザーデータ伝送のために使用される個別無線伝送リソースを識別する接続許可メッセージ１２１は、アクセス・グラント・チャンネル（ＡＧＣＨ：Access Grant CHannel）上のターミナル１１０に、ネットワークから伝送される。接続許可メッセージ１２１の受信後に、ターミナル１１０は、メッセージ内容に依存して、ユーザーデータ１５０を送り始める前に、そのネットワークから付与されたアップリンク・ステート・フラグ（ＵＳＦ：Uplink State Flag）を待たなければならないか、接続許可メッセージ１２１によって識別される割り当てられた通話チャンネル（ＴＣＨ：Traffic Channel）上にユーザーデータ１５０をすぐに送り始めることが出来るかのどちらかである。
【０００４】
たった今述べられたセル接続機構は、いかなるユーザーデータが伝送される前でも、相対的に長い最小アクセス遅延（minimum access delay）の原因となる。これは、ユーザーデータ伝送が開始される前に無線リソースが最初に要求されなければならないという事実のためである。最小アクセス遅延は、たとえ現状の基地局の無線リソースが占有されていなくても、存在する。
【０００５】
第３世代携帯電話通信システムは、その状況への改善を提供する。例えば、ＷＣＤＭＡ（Wideband Code Division Multiple Access（広帯域符号分割多重接続））システムでは、ユーザーデータは、ＲＡＣＨメッセージの中で伝送されるが、ＲＡＣＨメッセージに含まれるユーザーデータの量は、非常に制限されている。更に無線リソースを提供する個別通話チャンネル（ＤＣＨ：Dedicated Traffic Channel）は、その後にセットアップされるが、これは、例えば高いデータ速度でユーザーデータを送り始めるように即座に望まれるターミナルにとっては、理想的な解決策ではない。
【０００６】
ＷＣＤＭＡシステムは、共通パケット・チャンネル（ＣＰＣＨ：Common Packet CHannel）を提供し、それは、高いデータ速度を許すが、普通のハンドオーバやマクロディバーシティ（Macro diversity）受信（即ちソフト・ハンドオーバ）のような移動性をサポートしない。
【課題を解決するための手段】
【０００７】
本発明の第１の形態によれば、通信デバイスと通信ネットワークの間の方法であって、通信ネットワークは、ダイレクト・セル接続機構、および、通信ネットワークへのアップリンク接続のための通信デバイスのための代替のセル接続機構を少なくとも全般に提供する方法において、該方法は、通信ネットワークによって決定し、かつ、ダイレクト・セル接続機構を所与の時間に提供できるかどうかを、通信デバイスに指示することを備える方法が提供される。
【０００８】
その指示は、通信デバイスを通話チャンネル上にユーザーデータを直接的に送信できる指示を備えることが好ましい。
【０００９】
ある実施例においては、ダイレクト・セル接続機構を提供できるかどうかの決定は、基地局による通話量、および／または、無線測定に基づいてなされる。
【００１０】
ダイレクト・セル接続機構を提供できないなら、代替のセル接続機構使われるべきことを通信デバイスに指示することが好ましい。ある実施例においては、アップリンク接続のために、代替のセル接続機構、ＲＡＣＨのような、別個のアクセス・チャンネルを使用することを備える。
【００１１】
ある実施例においては、上述の指示は、システム情報ブロードキャストにおける特定のパラメータ値を含むことによって実行される。
【００１２】
本発明の第２の形態によれば、通信ネットワークとの操作のために構成された通信デバイスであって、通信ネットワークは、ダイレクト・セル接続機構、および、通信ネットワークへのアップリンク接続のための通信デバイスのための代替のセル接続機構を少なくとも全般に提供する通信デバイスにおいて、通信デバイスは、通信ネットワークによって送られる、セル接続機構を所与の時間に提供できるかどうかを通信デバイスへ指示する指示を受信する手段を備える通信デバイスが提供される。
【００１３】
ある実施例においては、通信デバイスは、セルラー通信ネットワークのモバイル・ハンドヘルドデバイスである。
【００１４】
本発明の第３の形態によれば、通信ネットワークの基地局であって、通信ネットワークは、ダイレクト・セル接続機構、および、通信ネットワークへのアップリンク接続のための通信デバイスのための代替のセル接続機構を少なくとも全般に提供する基地局において、基地局（１２０）は、ダイレクト・セル接続機構を所与の時間に提供できるかどうかを決定し、通信デバイスに指示する手段を備える基地局が提供される。
【００１５】
本発明の第４の形態によれば、通信デバイスおよび通信ネットワークを備えるシステムであって、通信ネットワークは、ダイレクト・セル接続機構、および、通信ネットワークへのアップリンク接続のための代替のセル接続機構を少なくとも全般に提供するシステムにおいて、通信ネットワークは、ダイレクト・セル接続機構を所与の時間に提供できるかどうかを決定し、通信デバイスに指示する手段を備え、かつ、該通信デバイスは、指示を受信する手段を備える通信デバイスであるシステムが提供される。
【発明を実施するための最良の形態】
【００１６】
従属請求項は、本発明の好ましい実施例を含む。本発明の特定の観点に関する従属請求項に含まれる問題は、本発明の他の実施例にも適用可能である。
【００１７】
本発明の実施例は、伴う図への参照とともに例示によって述べられる。
【実施例】
【００１８】
図２と図３は、本発明の実施例を示す。この実施例には、特定（高い）のデータ速度で通話チャンネルにダイレクトアクセスが許されるかどうか、または、（低い開始データ速度とともに）択一的なセル接続機構が使われるべきかどうかを、基地局１２０は、最初に決定し、それから、ターミナル１１０に信号を送る。本実施例においては、ターミナル１１０は、モバイル・ターミナルであり、および、基地局１２０は、中心に集めるやり方でネットワークへの接続を制御するセルラー通信ネットワークの基地局である。モバイル・ターミナル１１０および基地局１２０は、エア・インタフェース（無線インターフェース）上を無線周波通信の手段で互いに通信する。
【００１９】
基地局１２０は、連続的に、それが務めるセルに関する測定を実行する。これらの測定は、無線と通話量測定の両方を含む。その測定に基づいて、基地局１２０は、セルの密集レベルに関する情報を得る。その密集レベルに基づいて、基地局１２０は、高いデータ速度で通話チャンネルに対するダイレクト・アップリンク接続が可能になるかどうかを決定する。基地局１２０は、モバイル・ターミナル１１０に、ダイレクト・アップリンク接続の利用可能性を知らせる。この目的のために、適当なパラメータが決定される。本実施例においては、この特定のパラメータは、ダイレクトセルアクセス（DirectCellAccess）と呼ばれる。そのパラメータは、可能（enabled）、不可能（disabled）、という２つのふさわしい値を有する。不可能という値は、２進数法の”１”で示され、可能という値は、２進数法の”０”で示される。
【００２０】
基地局１２０は、それが務めるセルのカバーエリアを越えてシステム情報をブロードキャストする。そのブロードキャストは、セルのカバーエリアの中に存在するターミナルによって受信されるブロードキャストメッセージを送ることによって、もたらされる。本実施例においては、パラメータ値、ダイレクトセルアクセス＝可能、または、ダイレクトセルアクセス＝不可能が、システム情報ブロードキャストの一部分としてブロードキャストされる。基地局１２０が、通話チャンネルへのダイレクト・アップリンク接続が許される（空または軽く負荷がかかったセル）ことを決定する場合、それは周期的にパラメータ値ダイレクトセルアクセス＝可能をセルのシステム情報ブロードキャスト２３０（図２）の一部として送信する。システム情報ブロードキャスト２３０は、モバイル・ターミナル１１０によって受信される。それは、システム情報の更新周波数を規定するシステム情報ブロードキャストにおけるパラメータによって指示される毎に、ダイレクトセルアクセス・パラメータの更新値を読み込む。
【００２１】
基地局１２０は、通話チャンネルへのダイレクト・アップリンク接続が許される（通話で負荷かけられたセル）ことを決定する場合、それは周期的に、システム情報ブロードキャストメッセージ３４０（図３）におけるパラメータ値ダイレクトセルアクセス＝不可能をブロードキャストする。
【００２２】
ダイレクト・アップリンク接続が可能にされ、モバイルターミナル１１０が送るべきユーザーデータを有する時、それは、物理層（Ｌ１）（図６および対応する記述を参照）によって特定された同期手続が完了した後で、通話チャンネル上のユーザーデータ１５０（図２）を直接的に送り始める。使用される通話チャンネルに関する情報は、モバイル・ターミナル１１０へ適切な方法で伝えられる。それは、例えば、前もって基地局１２０から通信されても良い。また、そのシステムがＣＤＭＡベースのシステムであるなら、適切なコードは基地局１２０からモバイル・ターミナル１１０へ前もって伝えられても良い。システムという用語は、ここでは、適切なネットワーク要素（基地局のような）とターミナルの組合せを備えるものというように考慮される。
【００２３】
ダイレクト・アップリンク接続が不可能であり、モバイル・ターミナル１１０は送るべきユーザーデータを有する時、それは、ダイレクト・アップリンク接続を使用せず、代替のセル接続機構が使用されなければならない。図３に示される実施例においては、代替の方法は、２段階セル接続機構であり、それは従来技術として既に知られており、そこではモバイル・ターミナル１１０は最初に基地局１２０に接続要求メッセージ１１１を送信し、接続許可メッセージ１２１によって識別されるように、個別通話チャンネル（ＤＣＨまたは類似のもの）上のユーザーデータ１５０を送信始める前に、基地局１２０から接続許可メッセージ１２１を待つ。
【００２４】
たった今述べられた本発明の実施例の変形、および、他の実施例は、次に述べられる。
【００２５】
基地局１２０は、周期的に、パラメータ値ダイレクトセルアクセス＝可能／不可能を、システム情報ブロードキャスト２３０、３４０の一部として送信することは、述べられた。本発明の他の実施例においては、パラメータ値は、ブロードキャストメッセージの代わりに、モバイル・ターミナルの制限されたセットへ送信される特定のマルチキャストメッセージの中で、送信される。そのセットは、一般にユーザ署名（または類似のもの）に基づいて、ダイレクト・アップリンク接続を使う権利を有するモバイル・ターミナルを形成する。別の実施例においては、個々のターミナルへのダイレクトセルアクセス・パラメータ値の適応性は、電話加入者識別子、機器識別子、類似のもの、のような独自の識別子の殆ど意味の無いビットに基づいた、ターミナルのある偽のランダム・グループを明確にすることが出来る。
【００２６】
ある実施例においては、期限切れ時は、システムによって、ダイレクトセルアクセス・パラメータ値に与えられる。例えば、そのシステム情報ブロードキャスト・メッセージが使用される時、期限切れ時は一定値、または、システムブロードキャスト・メッセージの中の別パラメータとして特定される。パラメータ値、ダイレクトセルアクセス＝可能であるが、それは期限切れであり、そのモバイル・ターミナル１１０は、期限切れパラメータ値を使用しないが、ダイレクト・アップリンク接続機構に従って、ユーザーデータ転送を始める前に新しいものを回収しなければならない。
【００２７】
基地局１２０は、それが務めるセルに関する測定を実行するということは、既に述べられ、そして、これらの測定に基づいて、ダイレクト・アップリンク接続が可能になるかどうかを決定する。これらの測定は、無線と通話量測定の両方を含む。それらのどちらかが使用されるかは、実施形式によって決まる。典型的な使用される無線測定は、例えば、総受信広帯域幅電力（received total wide band power）の測定、ＳＩＲ（Signal to Interface Ratio（インタフェースへのシグナル比））測定、ＢＥＲ（ビット・エラー率）測定、ＦＥＲ（フレーム・エラー率）測定、または、無線信号品質における他の測定である。特に、総受信広帯域幅電力は、アップリンク方向へアクセスするユーザが多くいるかどうかを示す。
【００２８】
基地局１２０は、局所的には、例えば、ダイレクト・アップリンク接続機構の状態を決定することによって、そのセルのカバーエリアにおける無線リソースの使用を制御するという考えが与えられた。しかしながら、それは、無線リソース上の最終決定が、別のネットワーク要素によって代替的に実行されるということは、明らかであるべきである。なぜなら、これは、ターミナル１１０によって経験される遅延を減少するためである。決定は、基地局１２０によって実行されるのが好ましい。
【００２９】
ダイレクトアップリンク接続の使用が適する典型的な環境は、スモールセルサイズといっしょのパケット切替システム、ショートデータ・バースト（例えば、ＩＰパケット・バースト（インターネット・プロトコル））、および、ただ１つの連続的通話を有するものであろう。若干負荷のかかったセルでは、コリジョンは、バーストが短いなら、あまりなさそうである。従って、小さなアクセス遅延といっしょの高いデータ速度転送は、システム性能を弱めることなく、制限されたユーザに提供される。
【００３０】
全てのセル・アップリンク能力に関係あるもう１つの利点は、確かな状況において、ユーザーデータの移動のために使用されることができる。例えば、高いデータ速度ユーザがただ１つのセル使用者である場合、ＲＡＣＨチャンネル能力は、全く必要とされないか、新しいユーザだけがセルに登録するため、または、セルにハンドオーバするために予約されるかのどちらかである。この種の状況は、例えば、プライベート・アクセスポイントで生じる。通話チャンネルへのダイレクト・アップリンク接続が可能であるなら、１つのユーザが衝突することはできず、多くのユーザがそのようなアクセス・ポイントを通してアクセスすることは期待できないので、ＲＡＣＨチャンネル能力の最小量のみが必要とされる。その”開放された”ＲＡＣＨチャンネル能力は、このようにユーザーデータの移動のために使用される。
【００３１】
本発明の基本アイデアは、原則として、いかなるデジタル・ワイヤレスまたは中心に集める構造を有するセルラ・システムに適用可能である。これは、第２世代および第３世代そしてワイヤレス・ローカル・エリア・ネットワークはもちろんのこと可能性のある携帯の将来世代を含み、そこでは、低い遅延と高いスループット効率の両方が目標とされる。制限は、一般的な無線アクセス方法においては無い。例えば、ＴＤＭＡ（時分割多元接続）やＣＤＭＡ（符号分割多重接続）である。含まれるシステムは、例えば、ＯＦＤＭ（直交波周波数分割多重）ベースシステムのような、マルチキャリアシステムも含まれる。
【００３２】
図４は、本発明の実施形態による基地局１２０を示す。基地局は、処理ユニット４２０、無線周波数（ＲＦ：Radio Frequency）部分４４０およびネットワーク・インタフェース４２５を備える。処理ユニット４２０は、基地局１２０の運転を制御する。無線周波数部分４４０およびネットワーク・インタフェース４２５は、処理ユニット４２０に連結される。無線周波数部分４４０は、基地局１２０が務めるセルのエリアで操作するモバイル・ターミナル１１０、へ／から、ユーザーデータを受信し、送信する。その他ネットワーク、へ／から、の通信は、ネットワーク・インタフェース４２５を通して行われる。
【００３３】
処理ユニット４２０は、無線リソース制御（ＲＲＣ：Radio Resource Control）ブロックを備える。説明された無線およびトラフィック測定は、無線リソース制御（ＲＲＣ）４４０、および／または、ネットワークインタフェース４２５によって行われ、ＲＲＣブロックによって分析される。ＲＲＣブロックは、その分析に基づいて、ダイレクト・セル接続が、可能か不可能かどうかの上の決定を行い、正当なパラメータ値（ダイレクトセルアクセス＝可能／不可能）がモバイルターミナル１１０に関する各時間に送られるような無線周波数部分４４０を制御する。
【００３４】
他の言葉で言えば、基地局１２０は、実際に、セル接続機構の使用を可能にするか、不可能にすることによって、セルの中の無線リソースの使用を制御することをする。携帯電話やワイヤレスシステムで知られる他の手段にこの方法を組み合わせることは、無線リソース使用の効率を改善する。セルが空または少し負荷がかかっている時、基地局１２０は、小さなアクセス遅延で高いデータ速度によるユーザーデータのダイレクト送信を可能にする。セル上の密集レベルが増加する時、高いデータ速度チャンネル上のコリジョンを避け、そのことによる無線リソースを貯えるために、遅いアクセス機構のみが使用を許される。
【００３５】
図５は、本発明の実施形態によるモバイル・ターミナル１１０を示す。本実施例では、モバイル・ターミナル１１０は、処理ユニットＭＣＵ、無線ブロック５４０、ユーザーインタフェースＵＩを備えるセルラー・モバイル・ターミナルである。処理ユニットＭＣＵは、ソフトウエアＳＷの助けを借りてモバイル・ターミナル１１０の運転を制御する。ソフトウエアＳＷは、メモリ５１５に在住する。無線ブロック５４０は、エア・インタフェースの上を越えて無線通信の手段で基地局１２０、へ／から、ユーザーデータを受信し、送信する。ユーザーインタフェースＵＩは、ターミナル１１０を使うモバイル・ターミナル１１０の使用を可能にするために、キーボード、ディスプレ、マイクロフォン、スピーカ（表されて無いが）を備える。
【００３６】
パラメータ値ダイレクトセルアクセス＝可能／不可能を運ぶシステム情報ブロードキャスト（または、別のメッセージ）２３０、３４０は、無線ブロック５４０を通して受信され、処理ユニットＭＣＵによって処理される。ソフトウエアは、基地局１２０のＲＰＣ層に相当するプロトコル層を備える。そのプロトコル層は、受信パラメータ値を解釈し、正しいアクセス機構（ダイレクト・セル接続または代替の機構）が使用されるように、無線ブロック５４０を制御する。
【００３７】
図６は、モバイル・ターミナル１１０と基地局１２０（またはネットワーク）の間のエア・インタフェース（無線インタフェース）が、ＷＣＤＭＡシステムに従って、プロトコル層の中にどのように積み重なるかを表す。３つの層を有するプロトコル・スタックが形成される。モバイル・ターミナル１１０の中で実行される各プロトコルは、基地局１２０（またはネットワーク）の中で実行される相当するプロトコル層と通信する。最低層は、物理層（レイヤ１（Ｌ１））である。物理層は、プロトコル・スタックの高次の層にトランスポート・サービスを提供する。それは、先の記述で述べたＲＡＣＨ、ＣＰＣＨおよびＤＣＨのような通信のためのトランスポート・チャンネルを提供する。
【００３８】
第２低層（Ｌ２）は、無線リンク層である。それは、論理チャンネルの上にデータ伝送を提供する。論理チャンネルは、制御および通話チャンネルに分割され、そこでは、制御チャンネルは、制御情報のみの移動用に使用され、通話チャンネルは、ユーザーデータの移動に使われる。チャンネルの両方のタイプは、Ｌ１トランスポート・チャンネル上にマップされる。
【００３９】
無線リンク層の上のレイヤ３（Ｌ３）は、ネットワーク層と呼ばれる。無線システムの中のその機能の一つは、ＲＰＣサブ層によって実行される無線リソース制御である。
【００４０】
本発明の１つの実施例においては、ダイレクト・アクセス機構（ダイレクトセルアクセス・パラメータ値）の利用可能性に関する情報は、ネットワーク層（Ｌ３）で伝送される。それ故、高速度ユーザーデータ伝送が、通話チャンネル上のダイレクト・アップリンク接続に従って始まった後で、その伝送は可能性のあるハンドオーバの間に続けられる。これは、伝送状況が弱いなら止められなければならない従来技術ＣＰＣＨ法では生じない。
【００４１】
モバイル・ターミナル１１０上の通話チャンネルは、ダイレクト・アップリンク接続機構に従って、直接的にユーザーデータ伝送を始めることができ、全ての必要なＲＰＣ機能、即ち本ケースでは無線リンク層（Ｌ２）の通話チャンネル、が実行されるチャンネルとして定義される。
【００４２】
レイヤＬ１、Ｌ２およびＬ３は、モバイル・ターミナル１１０（図５）および基地局１２０（図４）におけるハードウエアおよびソフトウエアの適当な組み合わせによって実行される。
【００４３】
本発明の特定の実行と実施例は述べられた。従来技術を有する当業者には、本発明は上述で表された実施例の詳細には制限されず（例えば、パラメータ名、プロトコル層の構成）、しかし、本発明の特徴から派生しない相当技術を用いて他の実施例が実行され得ることは明らかである。本発明の範囲は、添付された請求項によってのみ制限される。
【図面の簡単な説明】
【００４４】
【図１】従来技術セル接続機構を示す図である。
【図２】本発明の実施例を示す図である。
【図３】本発明の実施例を示す図である。
【図４】本発明の実施例に従って基地局を示す図である。
【図５】本発明の実施例に従ってモバイル・ターミナルを示す図である。
【図６】本発明の実施例における積み重ねられたプロトコル・スタックを示す図である。
【図１】
2006511132.tif 000003
【図２】
2006511132.tif 000004
【図３】
2006511132.tif 000005
【図４】
2006511132.tif 000006
【図５】
2006511132.tif 000007
【図６】
2006511132.tif 000008
【手続補正書】
【提出日】平成17年1月14日(2005.1.14)
【手続補正１】
【補正対象書類名】特許請求の範囲
【補正対象項目名】全文
【補正方法】変更
【補正の内容】
【特許請求の範囲】
【請求項１】
通信デバイスと通信ネットワークの間の方法であって、該通信ネットワークは、該通信デバイスが通話チャンネル上のユーザーデータを直接的に送り始めることを可能にするダイレクト・セル接続機構、および、該通信ネットワークへのアップリンク接続のための該通信デバイスのための代替のセル接続機構を少なくとも全般に提供する方法において、該方法は、
前記通信ネットワークによって決定し、かつ、
前記ダイレクト・セル接続機構を所与の時間に提供できるかどうかを、前記通信デバイスに指示することを備える方法。
【請求項２】
請求項１に記載の方法において、前記ダイレクト・セル接続を提供できない状況における前記方法は、
前記代替のセル接続機構を使用すべきことを前記通信デバイスに指示することを備える方法。
【請求項３】
請求項２に記載の方法において、前記代替セル接続機構は、アップリンク接続のための別個の接続チャンネルを用いることを備える方法。
【請求項４】
請求項１〜３のいずれか１項に記載の方法において、前記ダイレクト・セル接続機構が提供されるかどうかを指示することは、前記通信デバイスが通話チャンネル上に高いデータ速度でユーザーデータを直接的に送り始められるかどうかを指示することを備える方法。
【請求項５】
請求項４に記載の方法において、前記モバイル通信デバイス（１１０）および前記基地局（１２０）の間の無線インタフェースは、プロトコルスタックを形成するプロトコル層の中に積み重ねられ、および、前記通話チャンネルは、該プロトコルスタックのデータリンク層（レイヤ２）の上で動作する論理通話チャンネル部分を形成する方法。
【請求項６】
請求項５に記載の方法において、前記通信デバイスが通話チャンネル上を直接的に送り始められるどうかを指示することは、前記プロトコルスタックのネットワーク層（レイヤ３）で実行される方法。
【請求項７】
請求項１に記載の方法において、前記ダイレクト・セル接続機構を提供できるかどうかを指示することは、請求項１の前記通信デバイスを含む通信デバイスのセットに、ブロードキャスト・メッセージを送ることによって実行される方法。
【請求項８】
請求項７に記載の方法において、前記ブロードキャスト・メッセージは、前記通信デバイスのセットをさらに制限するパラメータ値を含む方法。
【請求項９】
請求項１に記載の方法において、前記ダイレクト・セル接続機構を提供できるかどうかを指示することは、請求項１の前記通信デバイスを含む通信デバイスの制限されたセットに、マルチキャスト・メッセージを送ることによって実行される方法。
【請求項１０】
請求項１に記載の方法において、前記ダイレクト・セル接続機構を提供できるかどうかを指示することは、前記通信デバイスへのポイントツーポイント・メッセージを送ることによって実行される方法。
【請求項１１】
請求項７〜１０のいずれか１項に記載の方法において、前記メッセージは、前記ダイレクト・セル接続機構が可能にされるかどうかを指示するパラメータ値を、前記通信デバイスに搬送する方法。
【請求項１２】
請求項１〜１１のいずれか１項に記載の方法において、前記通信ネットワークは、モバイル通信システムのセルを務める基地局を備え、および、前記方法は、
前記基地局による通話量、および／または、無線測定を実行し、かつ、
前記ダイレクト・セル接続機構を所与の時間に前記測定に基づいて提供できるかどうかを前記基地局によって決定することを備える方法。
【請求項１３】
通信ネットワークとの操作のために構成された通信デバイス（１１０）であって、該通信ネットワークは、該通信デバイスが通話チャンネル上のユーザーデータを直接的に送り始めることを可能にするダイレクト・セル接続機構、および、該通信ネットワークへのアップリンク接続のための該通信デバイス（１１０）のための代替のセル接続機構を少なくとも全般に提供する通信デバイスにおいて、該通信デバイス（１１０）は、
前記通信ネットワークによって送られる、前記セル接続機構を所与の時間に提供できるかどうかを前記通信デバイス（１１０）へ指示する指示を受信する手段（ＲＦ、ＭＣＵ、５１５、ＳＷ）を備える通信デバイス。
【請求項１４】
請求項１３に記載の通信デバイスにおいて、該通信デバイスは、セルラー通信ネットワークのモバイル・ハンドヘルド・デバイスである通信デバイス。
【請求項１５】
通信ネットワークの基地局（１２０）であって、該通信ネットワークは、該通信デバイスが通話チャンネル上のユーザーデータを直接的に送り始めることを可能にするダイレクト・セル接続機構、および、該通信ネットワークへのアップリンク接続のための通信デバイス（１１０）のための代替のセル接続機構を少なくとも全般に提供する基地局において、該基地局（１２０）は、
前記ダイレクト・セル接続機構を所与の時間に提供できるかどうかを決定し、
前記通信デバイス（１１０）に指示する手段（４２０、４２５、４４０）を備える基地局。
【請求項１６】
通信デバイス（１１０）および通信ネットワークを備えるシステムであって、該通信ネットワークは、該通信デバイスが通話チャンネル上のユーザーデータを直接的に送り始めることを可能にするダイレクト・セル接続機構、および、該通信ネットワークへのアップリンク接続のための代替のセル接続機構を少なくとも全般に提供するシステムにおいて、該通信ネットワークは、
前記ダイレクト・セル接続機構を所与の時間に提供できるかどうかを決定し、
前記通信デバイス（１１０）に指示する手段（４２０、４２５、４４０）を備え、かつ、該通信デバイス（１１０）は、
前記指示を受信する手段（ＲＦ、ＭＣＵ、５１５、ＳＷ）を備える通信デバイスであるシステム。
【国際調査報告】
2006511132.tif 000009
2006511132.tif 000010